【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
振動して超音波を送信する振動部材と、
前記振動部材から送信され、記録媒体を介した超音波を受信する受信手段と、を有する超音波センサにおいて、
前記振動部材から送信された超音波を前記記録媒体へ導くガイド部材と、を有し、
前記ガイド部材は前記振動部材の周りを囲み、前記振動部材と接触せず、前記記録媒体の搬送路を形成する搬送ガイド部材と接触し、前記振動部材から送信された超音波は前記搬送ガイド部材に設けられた開口部を通過し、前記記録媒体に照射されることを特徴とする超音波センサ。
【請求項２】
前記記録媒体に対して超音波を送信する側とは反対側から前記振動部材を支持する支持部材を有し、
前記ガイド部材は前記支持部材の周りを囲み、前記支持部材と接触していることを特徴とする請求項１に記載の超音波センサ。
【請求項３】
前記振動部材と前記受信手段は対向するように配置され、
前記受信手段は、前記振動部材から送信され、前記記録媒体を透過した超音波を受信することを特徴とする請求項１又は２に記載の超音波センサ。
【請求項４】
超音波を送信する送信手段と、
前記送信手段から送信され、記録媒体を介した超音波を受信して振動する振動部材と、を有する超音波センサにおいて、
前記記録媒体を介した超音波を前記振動部材へ導くガイド部材と、を有し、
前記ガイド部材は前記振動部材の周りを囲み、前記振動部材と接触せず、前記記録媒体の搬送路を形成する搬送ガイド部材と接触し、前記記録媒体を介した超音波は前記搬送ガイド部材に設けられた開口部を通過し、前記振動部材によって受信されることを特徴とする超音波センサ。
【請求項５】
前記記録媒体を介した超音波を受信する側とは反対側から前記振動部材を支持する支持部材を有し、
前記ガイド部材は前記支持部材の周りを囲み、前記支持部材と接触していることを特徴とする請求項４に記載の超音波センサ。
【請求項６】
前記送信手段と前記振動部材は対向するように配置され、
前記振動部材は、前記送信手段から送信され、前記記録媒体を透過した超音波を受信することを特徴とする請求項４又は５に記載の超音波センサ。
【請求項７】
前記振動部材の中心を通り、且つ前記振動部材と垂直な線の方向と同じ方向に前記ガイド部材がのびており、前記振動部材の表面と前記ガイド部材の先端面を含む平面は平行であることを特徴とする請求項１乃至６のいずれか１項に記載の超音波センサ。
【請求項８】
前記垂直な線における、前記振動部材の表面から前記ガイド部材の前記平面までの距離は、送信される超音波の波長の略１／２のｎ倍（ｎは１以上の整数）であることを特徴とする請求項７に記載の超音波センサ。
【請求項９】
前記ガイド部材の先端面が前記搬送ガイド部材と密着し、前記ガイド部材と前記搬送ガイド部材が連結した状態となっていることを特徴とする請求項１乃至８のいずれか１項に記載の超音波センサ。
【請求項１０】
前記ガイド部材の先端面を含む平面における開口部の大きさと、前記搬送ガイド部材に設けられた前記開口部の大きさは同じであることを特徴とする請求項９に記載の超音波センサ。
【請求項１１】
前記ガイド部材は前記搬送ガイド部材に対して垂直の方向にのびていることを特徴とする請求項１乃至１０のいずれか１項に記載の超音波センサ。
【請求項１２】
超音波を送信する送信手段と、
前記送信手段から送信され、記録媒体を介した超音波を受信する受信手段と、を有する超音波センサにおいて、
前記送信手段から送信された超音波を前記記録媒体へ導く第１のガイド部材と、
前記記録媒体を介した超音波を前記受信手段へ導く第２のガイド部材と、を有し、
前記第１のガイド部材の先端面から、前記第２のガイド部材の先端面までの距離は、前記送信手段から送信される超音波の波長に基づく距離であることを特徴とする超音波センサ。
【請求項１３】
前記第１のガイド部材の先端面から、前記第２のガイド部材の先端面までの距離は、前記送信手段から送信される超音波の波長の略１／４のｍ倍（ｍは１以上の奇数）であることを特徴とする請求項１２に記載の超音波センサ。
【請求項１４】
前記第１のガイド部材と前記第２のガイド部材は、前記記録媒体の搬送路を形成する搬送ガイド部材と接触し、前記送信手段から送信された超音波は、前記搬送ガイド部材に設けられた第１の開口部を通過し、前記記録媒体へと送信され、前記記録媒体を介した超音波は、前記搬送ガイド部材に設けられた第２の開口部を通過し、前記受信手段によって受信されることを特徴とする請求項１２又は１３に記載の超音波センサ。
【請求項１５】
前記送信手段と前記受信手段は対向するように配置され、
前記受信手段は、前記送信手段から送信され、前記記録媒体を透過した超音波を受信することを特徴とする請求項１２乃至１４のいずれか１項に記載の超音波センサ。
【請求項１６】
前記受信手段が受信した超音波に基づいて、前記記録媒体の坪量を検知することを特徴とする請求項１乃至１５のいずれか１項に記載の超音波センサ。
【請求項１７】
記録媒体に画像を形成する画像形成手段と、
振動して超音波を送信する振動部材と、
前記振動部材から送信され、記録媒体を介した超音波を受信する受信手段と、を有し、
前記受信手段が受信した超音波に基づいて、前記画像形成手段の画像形成条件を制御する画像形成装置において、
前記振動部材から送信された超音波を前記記録媒体へ導くガイド部材と、
前記記録媒体の搬送路を形成する搬送ガイド部材と、を有し、
前記ガイド部材は前記振動部材の周りを囲み、前記振動部材と接触せず、前記搬送ガイド部材と接触し、前記振動部材から送信された超音波は前記搬送ガイド部材に設けられた開口部を通過し、前記記録媒体に照射されることを特徴とする画像形成装置。
【請求項１８】
記録媒体に画像を形成する画像形成手段と、
超音波を送信する送信手段と、
前記送信手段から送信され、記録媒体を介した超音波を受信して振動する振動部材と、を有し、
前記受信手段が受信した超音波に基づいて、前記画像形成手段の画像形成条件を制御する画像形成装置において、
前記記録媒体を介した超音波を前記振動部材へ導くガイド部材と、
前記記録媒体の搬送路を形成する搬送ガイド部材と、を有し、
前記ガイド部材は前記振動部材の周りを囲み、前記振動部材と接触せず、前記搬送ガイド部材と接触し、前記記録媒体を介した超音波は前記搬送ガイド部材に設けられた開口部を通過し、前記振動部材によって受信されることを特徴とする画像形成装置。
【請求項１９】
記録媒体に画像を形成する画像形成手段と、
超音波を送信する送信手段と、
前記送信手段から送信され、記録媒体を介した超音波を受信する受信手段と、を有し、
前記受信手段が受信した超音波に基づいて、前記画像形成手段の画像形成条件を制御する画像形成装置において、
前記送信手段から送信された超音波を前記記録媒体へ導く第１のガイド部材と、
前記記録媒体を介した超音波を前記受信手段へ導く第２のガイド部材と、を有し、
前記第１のガイド部材の先端面から、前記第２のガイド部材の先端面までの距離は、前記送信手段から送信される超音波の波長に基づく距離であることを特徴とする画像形成装置。
【手続補正２】
【補正対象書類名】明細書
【補正対象項目名】０００８
【補正方法】変更
【補正の内容】
【０００８】
本発明は以上のような状況を鑑みてなされたものであり、送信する超音波を安定した状態で記録媒体に照射できるようにする、又は記録媒体を介した超音波の出力を安定して得るようにすることを目的とする。
【手続補正３】
【補正対象書類名】明細書
【補正対象項目名】０００９
【補正方法】変更
【補正の内容】
【０００９】
上記の目的を達成するために、本発明の坪量検知センサは、振動して超音波を送信する振動部材と、前記振動部材から送信され、記録媒体を介した超音波を受信する受信手段と、を有する超音波センサにおいて、前記振動部材から送信された超音波を前記記録媒体へ導くガイド部材と、を有し、前記ガイド部材は前記振動部材の周りを囲み、前記振動部材と接触せず、前記記録媒体の搬送路を形成する搬送ガイド部材と接触し、前記振動部材から送信された超音波は前記搬送ガイド部材に設けられた開口部を通過し、前記記録媒体に照射されることを特徴とする。
【手続補正４】
【補正対象書類名】明細書
【補正対象項目名】００１０
【補正方法】変更
【補正の内容】
【００１０】
本発明の構成によれば、安定して超音波を記録媒体に照射できる、又は安定して記録媒体を介した超音波の出力を得ることが可能となる。